(57)【要約】【課題】蒸気タービンエンジン（１０）の低圧セクション用の蒸気タービン回転動翼（２０）を開示する。【解決手段】本蒸気タービン回転動翼（２０）は、翼形部（４２）を含む。根元部（４４）が、翼形部（４２）の一端に取付けられる。タブテール部（４０）が、根元部（４４）から突出したダブテール部（４０）であって接線方向挿入式ダブテールを含む。先端部（４６）が、根元部（４４）と反対側の端部において翼形部（４２）に取付けられる。カバー（４８）が、先端部（４６）の一部として一体に形成される。本動翼（２０）は、約１８．１ｆｔ2（１．６８ｍ2）以上の出口環状空間面積を含む。【選択図】      図２
2010065686.tif 000002
【特許請求の範囲】
【請求項１】
翼形部（４２）と、
翼形部（４２）の一端に設けられた根元部（４４）と、
根元部（４４）から突出したダブテール部（４０）であって接線方向挿入式ダブテールを含むタブテール部（４０）と、
翼形部（４２）の根元部（４４）とは反対側の端部に設けられた先端部（４６）と、
先端部（４６）の一部として一体に形成されたカバー（４８）と
を備える蒸気タービン回転動翼（２０）であって、
当該動翼（２０）が約１８．１ｆｔ2（１．６８ｍ2）以上の出口環状空間面積を含む、蒸気タービン回転動翼（２０）。
【請求項２】
接線方向挿入式ダブテール（４０）が、タービンロータホイール（１８）と係合するように構成された６つの接触面を有する３フック設計を含む、請求項１記載の蒸気タービン回転動翼（２０）。
【請求項３】
翼形部（４２）が約１２インチ（３０．４８ｃｍ）以上の長さを有する、請求項１記載の蒸気タービン回転動翼（２０）。
【請求項４】
カバー（４８）が先端部（４６）に対して合成角度で設置される、請求項１記載の蒸気タービン回転動翼（２０）。
【請求項５】
カバー（４８）が、第１の部分（５２）と先端部（４６）の上方で動翼（２０）の前縁（３４）から、動翼（２０）の後縁（３６）から所定の距離だけ離隔した位置まで延在する第２の部分（５４）とを含む、請求項４記載の蒸気タービン回転動翼（２０）。
【請求項６】
カバー（４８）の第１の部分（５２）が翼形部（４２）の正圧面（３０）の上方に延在し、カバー（４８）の第２の部分（５４）が、翼形部（４２）の負圧面（３０）の上方に延在する、請求項５記載の蒸気タービン回転動翼（２０）。
【請求項７】
タービンロータ（１８）の周りに配置された複数の後段蒸気タービン動翼（２０）を備える、蒸気タービン（１０）の低圧タービンセクションであって、複数の後段蒸気タービン動翼（２０）の各々が、
１２インチ（３０．４８ｃｍ）以上の長さを有する翼形部（４２）と、
翼形部（４２）の一端に設けられた根元部（４４）と、
根元部（４４）から突出したダブテール部（４０）であって接線方向挿入式ダブテールを含むタブテール部（４０）と、
翼形部（４２）の根元部（４４）とは反対側の端部に設けられた先端部（４６）と、
先端部（４６）の一部として一体に形成されたカバー（４８）と
を備えており、複数の後段蒸気タービン動翼（２０）が約１８．１ｆｔ2（１．６８ｍ2）以上の出口環状空間面積を含む、低圧タービンセクション。
【請求項８】
複数の後段蒸気タービン動翼（２０）が約１５００ｒｐｍ〜約３６００ｒｐｍの範囲内の速度で作動する、請求項７記載の低圧タービンセクション。
【請求項９】
複数の後段蒸気タービン動翼（２０）のカバー（４８）が隣接カバー（４８）との間で公称干渉をもって組立てられる、請求項７記載の低圧タービンセクション。
【請求項１０】
複数の後段蒸気タービン動翼（２０）のカバー（４８）が単一の連続結合構造体を形成する、請求項７記載の低圧タービンセクション。
【発明の詳細な説明】
【技術分野】
【０００１】
本発明は、広義には蒸気タービン用の回転動翼に関し、具体的には、蒸気タービンの低圧セクションの後段で用いるための作動速度の向上が可能な幾何形状をもつ回転動翼に関する。
【背景技術】
【０００２】
蒸気タービンの蒸気流路は概して固定ケーシングとロータとで形成される。このような構成では、何枚かの固定静翼が周方向列の形態で蒸気流路に内向きに延在するようにケーシングに取付けられる。同様に、何枚かの回転動翼が周方向列の形態で蒸気流路に外向きに延在するようにロータに取付けられ。固定静翼と回転動翼は交互に列をなすように配置され、静翼列及び直ぐ下流の動翼列は段を形成する。静翼は蒸気の流れが下流の動翼列に正しい角度で流入するように、蒸気の流れを導く働きをする。動翼の翼形部は、蒸気からエネルギーを抽出してロータ及び該ロータに取付けられた負荷を駆動するのに必要な動力を発生させる。
【０００３】
蒸気が蒸気タービンを流れると、その圧力は各段毎に所望の吐出圧に達するまで順次降下する。従って、温度、圧力、速度及び水分量のような蒸気特性は、蒸気が流路を通って膨張する際に列毎に異なる。その結果、各動翼列には、その列に付随した蒸気条件に対して最適化された翼形状の動翼が用いられる。
【０００４】
蒸気条件に加えて、動翼は、作動時に経験する遠心荷重を考慮に入れて設計される。具体的には、ロータの高回転速度のため動翼には高い遠心荷重が加わり、動翼に応力を生じさせる。動翼での応力集中を低減することは設計上の課題であり、蒸気タービンの低圧セクションの後方の列の動翼では、動翼が大型でそのため重量も大きく、蒸気流の水分による応力腐食にも付されるので、課題も大きい。
【０００５】
タービンの低圧セクション用回転動翼の設計に関するこのような課題は、動翼に加わる力、動翼の機械的強度、動翼の共振周波数及び動翼の熱力学的性能が一般に動翼の翼形状で決まるというため、一段と困難になる。これらの考慮事項は、動翼の翼形状の選択に制約を加える。従って、所定の列の動翼の最適翼形状は、その形状に関する機械的特性と空気力学的特性との妥協によるものとなる。
【先行技術文献】
【特許文献】
【０００６】
【特許文献１】米国特許第４２６０３３１号公報
【特許文献２】米国特許第５０６７８７６号公報
【特許文献３】米国特許第５１７４７２０号公報
【特許文献４】米国特許第５２６７８３４号公報
【特許文献５】米国特許第５２７７５４９号公報
【特許文献６】米国特許第５２９９９１５号公報
【特許文献７】米国特許第５３９３２００号公報
【特許文献８】米国特許第５４８０２８５号公報
【特許文献９】米国特許第５４９４４０８号公報
【特許文献１０】米国特許第５５３１５６９号公報
【特許文献１１】米国特許第５８２９９５５号公報
【特許文献１２】米国特許第６１４２７３７号公報
【特許文献１３】米国特許第６４３５８３３号公報
【特許文献１４】米国特許第６４３５８３４号公報
【特許文献１５】米国特許第６５６８９０８号公報
【特許文献１６】米国特許第６５７５７００号公報
【特許文献１７】米国特許第６６５２２３７号公報
【特許文献１８】米国特許第６６８２３０６号公報
【特許文献１９】米国特許第６８１４５４３号公報
【特許文献２０】米国特許第６８４６１６０号公報
【特許文献２１】米国特許第６８９３２１６号公報
【特許文献２２】米国特許第７０９７４２８号公報
【特許文献２３】米国特許第７１９５４５５号公報
【特許文献２４】米国特許出願公開第２００７／０２９２２６５号公報
【非特許文献】
【０００７】
【非特許文献１】AMIR MUJEZINOVIC, "Bigger Blades Cut Costs", Modern Power Systems, Feb. 2003, p.25, 27.
【非特許文献２】MICHAEL BOSS, "Steam Turbine Technology Heats Up", PEI Magazine, April 2003, p.77, 79, 81.
【発明の概要】
【課題を解決するための手段】
【０００８】
本発明の一つの態様では、蒸気タービン回転動翼を提供する。本回転動翼は、翼形部を含む。翼形部の一端には根元部が設けられている。根元部からタブテール部が突出しているが、タブテール部は接線方向挿入式ダブテールを含んでいる。翼形部の根元部とは反対側の端部に先端部が設けられている。先端部の一部としてカバーが一体に形成されている。本動翼は、約１８．１ｆｔ2（１．６８ｍ2）以上の出口環状空間面積を含む。
【０００９】
本発明の別の態様では、蒸気タービンの低圧タービンセクションを提供する。本発明のこの態様では、複数の後段蒸気タービン動翼が、タービンロータホイールの周りに配置される。複数の後段蒸気タービン動翼の各々は、１２インチ（３０．４８ｃｍ）以上の長さを有する翼形部を含む。翼形部の一端には根元部が設けられている。根元部からタブテール部が突出しているが、タブテール部は接線方向挿入式ダブテールを含んでいる。翼形部の根元部とは反対側の端部に先端部が設けられている。先端部の一部としてカバーが一体に形成されている。複数の後段蒸気タービン動翼は、約１８．１ｆｔ2（１．６８ｍ2）以上の出口環状空間面積を含む。
【図面の簡単な説明】
【００１０】
【図１】蒸気タービンの一部切欠き斜視図。
【図２】本発明の一実施形態に係る蒸気タービン回転動翼の斜視図。
【図３】図２に示す本発明の一実施形態に係る蒸気タービン回転動翼の軸方向挿入式ダブテールの拡大斜視図。
【図４】図２に示す本発明の一実施形態に係る蒸気タービン回転動翼のカバー及び先端部のより詳細図。
【図５】本発明の一実施形態に係る隣接る蒸気タービン回転動翼からの隣接カバーの相互関係を示す斜視図。
【発明を実施するための形態】
【００１１】
以下、蒸気タービンに関する用途及び作動を例にとって、本発明の１以上の実施形態について説明する。さらに、以下では、公称規模及び公称寸法の組を参照して、本発明の１以上の実施形態について説明する。ただし、本発明が適宜どのようなタービン及び／又はエンジンにも同様に応用できることは、本明細書の教示内容に接した当業者には明らかであろう。さらに、本発明が様々なスケールの公称規模及び／又は公称寸法に同様に適用できることも本明細書の教示内容に接した当業者には明らかであろう。
【００１２】
図面を参照すると、図１は、蒸気タービン１０の一部切欠き斜視図を示す。蒸気タービン１０は、シャフト１４及び複数の軸方向に離隔したロータホイール１８を備えたロータ１２を含む。複数の回転動翼２０が、各ロータホイール１８に対して機械的に結合される。具体的には、動翼２０は各ロータホイール１８の周方向の列として配置される。複数の固定静翼２２がシャフト１４の周方向に配置され、軸方向には隣接動翼２０列の間に位置する。固定静翼２２は動翼２０と協働してタービン段を形成し、タービン１０を通る蒸気流路の一部を形成する。
【００１３】
作動中に、蒸気２４は、タービン１０の入口２６に流入しかつ固定タービン２２を通して送られる。静翼２２は蒸気２４を下流の動翼２０に向ける。蒸気２４は残りの段を通過し、動翼２０に力を与えてシャフト１４を回転させる。タービン１０の少なくとも一端は軸方向にロータ１２と遠位方向に延在していてもよく、特に限定されないが、発電機その他のタービンのような負荷又は機械（図示せず）に取付けることができる。従って、大型蒸気タービン装置は実際にすべて同一のシャフト１４に同軸に結合した複数のタービンを備えていることがある。かかる装置には、例えば高圧タービンが中圧タービンに結合し、中圧タービンが低圧タービンに結合したものがある。
【００１４】
図１に示す本発明の一実施形態では、タービン１０は、Ｌ０、Ｌ１、Ｌ２、Ｌ３及びＬ４として示す５つの段を含む。段Ｌ４は第１段であって５段のうちで最小（半径方向に）のものである。段Ｌ３は、第２段であって軸方向における次の段である。段Ｌ２は、第３段であって５段のうちの中央に位置するものとして示す。段Ｌ１は、第４段であって最後から２番目の段である。段Ｌ０は、最終段であって最大（半径方向に）のものである。５つの段は一例にすぎず、低圧タービンの段の数は４以下でも、６以上でもよい。
【００１５】
図２は、本発明の一実施形態に係る蒸気タービン回転動翼２０の斜視図である。動翼２０は正圧面３０と負圧面３２とを有しており、それらは前縁３４と後縁３６でつながっている。動翼の翼弦長は、半径方向長さ３８のある地点での後縁３６から前縁３４まで測定した距離である。例示的な実施形態では、半径方向長さ３８つまり動翼長さは、約１２インチ（３０．４８ｃｍ）である。この例示的な実施形態における動翼長さは、約１２インチ（３０．４８ｃｍ）であるが、本明細書の教示内容がこの公称寸法の様々な縮尺に適用できることが当業者には明らかであろう。例えば、当業者は、１．２、２及び２．４のような縮尺係数で動翼２０を拡大して、それぞれ１４．４０インチ（３６．５８ｃｍ）、２４．０インチ（６０．９６ｃｍ）及び２８．８インチ（７３．１５ｃｍ）の動翼長さを形成することができる。
【００１６】
動翼２０には、タブテール部４０と翼形部４２とそれらの間に延在する根元部４４が形成される。翼形部４２は、根元部４４から先端部４６まで半径方向外向きに延在する。カバー４８が先端部４６の一部として一体に形成され、それらの移行部にはフィレット半径５０が設けられる。図２に示すように、カバー４８は、先端部４６に対して合成角度で設置される。具体的には、カバー４８は、第１の部分５２と先端部４６の上方で前縁３４から後縁３６より所定の距離だけ離れた位置まで延在する第２の部分５４とを含む。カバー４８の第１の部分５２は、正圧面３０の上方に延在し、カバー４８の第２の部分５４は、負圧面３２の上方に延在する。
【００１７】
例示的な実施形態では、タブテール部４０、翼形部４２、根元部４４及びカバー４８はすべて１２％クロムステンレス鋼材料で単体構造部品として製作される。この実施形態では、動翼２０は、タブテール部４０を介してタービンロータホイール１８（図１に示す）に結合しロータホイール１８から半径方向外向きに延在する。
【００１８】
図３は、本発明の一実施形態に係る、図２に示した蒸気タービン回転動翼の軸方向挿入式ダブテールの拡大斜視図である。この実施形態では、タブテール部４０は、タービンロータホイール１８（図１に示す）内に形成された嵌合スロットと係合する接線方向挿入式ダブテールを含む。一実施形態では、この接線方向挿入式ダブテールは、タービンロータホイール１８（図１に示す）と係合するように構成された６つの接触面を有する３フック設計を含む。接線方向挿入式ダブテールは、平均及び局所応力の分布、過速度状態時における保護、並びに適切な低サイクル疲労（ＬＣＦ）マージンが得られるとともに翼形根元部４４に適合するようにするのが好ましい。図３はタブテール部４０が、ダブテールプラットフォーム５８の上に翼形部４２を収容する静翼オーバハング４１を含むことも示している。接線方向挿入式ダブテールに含まれるフックの数が４以上であっても、２以下であってもよいことは当業者には自明であろう。
【００１９】
図３には、タブテール部４０の細部だけでなく、根元部４４からタブテール部４０が突き出ている移行部の拡大図も示している。具体的には、図３は、根元部４４がタブテール部４０のプラットフォーム６０へと移行する位置でのフィレット半径５８を示している。
【００２０】
図４は、図２に示す本発明の一実施形態に係る蒸気タービン回転動翼のカバー４８及び先端部４６のより詳細図を示す。上述のように、カバー４８は、該カバー４８が第１の部分５２と先端部４６の上方で前縁３４から後縁３６より所定の距離だけ離れた位置５６まで延在する第２の部分５４とを含むように、先端部４６に対して合成角度で設置される。具体的には、カバー４８の第１の部分５２は、正圧面３０の上方に延在し、カバー４８の第２の部分５４は、負圧面３２の上方に延在する。カバー４８が先端部４６に対して合成角度で設置されるので、第１の部分５２及び第２の部分５４は、異なる角度から見た時に平坦面のように見える。
【００２１】
図５は、本発明の一実施形態に係る、隣接する蒸気タービン回転動翼からの隣接カバーの相互関係を示す斜視図である。図５に示すように、隣接カバー間には、約０．００５インチ（０．１２７ｃｍ）の干渉（締めしろ）が存在する。一般に、カバー４８は、最初の組立て時及び／又は速度ゼロの状態で、隣接カバー間で干渉を生じるように設計される。干渉（状態）６０は、作動速度においてカバー４８に十分な結合をもたらして、所望の共振振動数を達成する。また、図５に示すように、各カバー４８は、組立て後に別の動翼の隣接する先端部の一部分上に延在する。具体的には、各カバーは、そのカバーがその後縁上まで十分に延びていない別の動翼の隣接する先端部の一部分上に延在する。
【００２２】
タービンロータホイール１８（図１に示す）が回転すると、動翼２０は、捩れが低減するように移動し始める。具体的には、動翼２０の毎分回転数（ｒｐｍ）が作動レベルに近づくと、動翼は遠心力によって捩れが低減するように移動し、カバー４８が互いに整列して、隣接カバーとの間に名目干渉を生じる。その結果、動翼は、単一の連続結合構造体を形成する。この相互連結カバーによって、動翼剛性の向上、動翼減衰性の向上及び動翼２０の外側半径方向位置でのシール作用の向上が得られる。
【００２３】
例示的な実施形態では、動翼２０の作動レベルは３６００ｒｐｍであるが、本明細書の教示内容がこの公称規模の様々なスケールに適用できることは当業者には自明であろう。例えば、当業者は、１．２、２及び２．４のような縮尺係数で作動レベルを拡大して、それぞれ３０００ｒｐｍ、１８００ｒｐｍ及び１５００ｒｐｍで作動する動翼を製作することができる
本発明の一実施形態に係る動翼２０は、好ましくは蒸気タービンの低圧セクションのＬ２段で使用される。ただし、動翼はその他の段又はセクション（例えば、高圧又は中圧セクション）でも同様に使用できる。上述のように、動翼２０における好ましい動翼長さは、約１２インチ（３０．４８ｃｍ）である。この動翼長さは、約１８．１ｆｔ2（１．６８ｍ2）のＬ２段出口環状空間面積をもたらすことができる。この広く改良された出口環状空間面積は、蒸気がＬ２段動翼から出る際の運動エネルギーの損失を低減させることができる。この損失の低減によって、タービン効率が向上する。
【００２４】
上述の通り、動翼長さを別の動翼長さに拡大すると、出口環状空間面積も拡大することは当業者には自明であろう。例えば、１．２、２及び２．４のようなスケール係数を使用して、それぞれ１４．４０インチ（３６．５８ｃｍ）、２４．０インチ（６０．９６ｃｍ）及び２８．８インチ（７３．１５ｃｍ）の動翼長さを形成すると、それぞれ約２６．０１ｆｔ2（２．４２ｍ2）、７２．２６ｆｔ2（６．７１ｍ2）及び１０４．０５ｆｔ2（９．６７ｍ2）の出口環状空間面積が得られる。
【００２５】
以上、本発明の好ましい実施形態を参照して本発明を例示し説明してきたが、当業者は様々な変更及び改良を想到し得るであろう。従って、特許請求の範囲は、本発明の技術思想の範囲に属するあらゆる改良及び変更を包含する。
【符号の説明】
【００２６】
１０  蒸気タービン
１２  ロータ
１４  シャフト
１６  低圧タービン
１８  ロータホイール
２０  回転動翼
２２  静翼
２４  蒸気
２６  入口
３０  正圧面
３２  負圧面
３４  前縁
３６  後縁
３８  半径方向長さ
４０  タブテール部
４１  静翼オーバハング
４２  翼形部
４４  根元部
４６  先端部
４８  カバー
５０  カバーと先端部との間のフィレット半径
５２  カバーの第１の部分
５４  カバーの第２の部分
５６  ロータセクションとタブテール部との間のフィレット半径
５８  プラットフォーム
６０  干渉（状態）
【図１】
2010065686.tif 000003
【図２】
2010065686.tif 000004
【図３】
2010065686.tif 000005
【図４】
2010065686.tif 000006
【図５】
2010065686.tif 000007